(57)【要約】【課題】車室内に対する遮光ないし採光部分を自在に変更可能であって、使い勝手の良いサンシェード装置を提供する。【解決手段】本発明のサンシェード装置２００は、車両３００のルーフパネル６０に開口された開口部５０と、前記開口部５０を介して、車室内への採光が可能な収納状態と、車室内に対する遮光が可能な展開状態との間で切換えが可能とされた遮光部材１２を備える遮光本体部１０と、前記遮光本体部１０を、前記開口部５０において回転可能に取り付けるための支持部材１６と、を備えることを特徴とする。【選択図】図１
2008279802.tif 000002
【特許請求の範囲】
【請求項１】
車両のルーフパネルに開口された開口部と、
前記開口部を介して、車室内への採光が可能な収納状態と、車室内に対する遮光が可能な展開状態との間で切換えが可能とされた遮光部材を備える遮光本体部と、
前記遮光本体部を前記開口部において回転可能に取り付けるための支持部材と、を備えることを特徴とする、サンシェード装置。
【請求項２】
請求項１に記載のサンシェード装置であって、
前記遮光本体部は、前記遮光部材の展開方向を前記開口部の開口平面内で変更自在となるように、前記支持部材に対して回転可能に取り付けられていることを特徴とする、サンシェード装置。
【請求項３】
請求項１又は請求項２に記載のサンシェード装置であって、
前記遮光本体部を前記支持部材に対して回転可能に取り付けるための回転機構を備え、
前記回転機構は、前記遮光本体部に付設された回転子と、前記支持部材に付設されたベース部材とからなり、
前記回転子と前記ベース部材との間には、弾性変形可能なロック部材と、前記ロック部材を係合するロック孔とが設けられ、
前記ロック部材が前記ロック孔により係合された状態では、前記遮光本体部が回転停止状態とされる一方、前記ロック部材がその弾性変形に基づいて前記ロック孔から係脱された状態では、前記遮光本体部が回転可能状態とされることを特徴とする、サンシェード装置。
【請求項４】
請求項１ないし請求項３のいずれか１項に記載のサンシェード装置であって、
前記支持部材は、前記開口部の車両幅方向に延設され、前記ルーフパネルを補強する補強部材であることを特徴とする、サンシェード装置。
【請求項５】
請求項１ないし請求項４のいずれか１項に記載のサンシェード装置であって、
前記遮光部材が可撓性の遮光シートからなり、
前記遮光本体部は、前記遮光シートを巻き取ることのできる巻取装置を備えることを特徴とする、サンシェード装置。
【請求項６】
請求項１ないし請求項５のいずれか１項に記載のサンシェード装置であって、
前記支持部材は、前記開口部において、前記車両の前後方向にスライド可能に取り付けられていることを特徴とする、サンシェード装置。
【請求項７】
請求項６に記載のサンシェード装置であって、
前記スライド可能な支持部材を、前記開口部の所定位置で固定する位置固定手段を備えることを特徴とする、サンシェード装置。
【請求項８】
請求項１ないし請求項７のいずれか１項に記載のサンシェード装置であって、
前記支持部材を複数備えており、
前記複数の支持部材のそれぞれに前記遮光本体部が取り付けられていることを特徴とする、サンシェード装置。
【発明の詳細な説明】
【技術分野】
【０００１】
本発明は、サンシェード装置に関する。
【背景技術】
【０００２】
サンシェード装置として特許文献１に開示された構成が知られている。特許文献１では、車両のルーフ開口部と、これに隣接するルーフ部とにわたる左右のルーフサイド部にそれぞれスライドレールを設け、このスライドレール間にルーフ開口部を覆い得る寸法の膜戸を前後方向にスライド可能に取り付けた構成を備えるサンシェード装置が開示されている。
【特許文献１】特開平８−２５９７３公報
【発明の開示】
【発明が解決しようとする課題】
【０００３】
しかし、上述した特許文献１に開示された構成では、膜戸が車両左右方向に延設されているため、車両の左右の座席に対して同時に遮光するものであり、左側座席のみ、又は右側座席のみ遮光する設定にはできず、使い勝手に劣るものであった。
また、上述した特許文献１では、ルーフを開口することにより解放感を高めようとしているものの、中間のルーフが同位置に存在するため、車室内における乗員の位置によって解放感が規制される。
一方、解放感を追求してルーフの開口部を大型化すると、ルーフの剛性が低下する懸念がある。
【０００４】
本発明は上記のような事情に鑑みてなされたものであって、その目的は、車室内に対する遮光ないし採光部分を自在に変更可能であって、使い勝手の良いサンシェード装置を提供することにある。
【課題を解決するための手段】
【０００５】
課題を解決するための手段は、以下の発明である。
第１発明は、車両のルーフパネルに開口された開口部と、前記開口部を介して、車室内への採光が可能な収納状態と、車室内に対する遮光が可能な展開状態との間で切換えが可能とされた遮光部材を備える遮光本体部と、前記遮光本体部を前記開口部において回転可能に取り付けるための支持部材と、を備えることを特徴とする、サンシェード装置である。
【０００６】
第１発明によれば、遮光本体部が開口部において回転可能となるように、当該遮光本体部が支持部材に取り付けられているため、車両の左右座席の双方を遮光ないし採光する設定のみならず、左側座席のみ又は右側座席のみを遮光ないし採光する設定が容易に可能となり、使い勝手が向上する。
【０００７】
第２発明は、第１発明のサンシェード装置であって、前記遮光本体部は、前記遮光部材の展開方向を前記開口部の開口平面内で変更自在となるように、前記支持部材に対して回転可能に取り付けられていることを特徴とする、サンシェード装置である。
【０００８】
第２発明によれば、遮光本体部の回転により、遮光部材の展開方向を開口部の開口平面内で好適に変更することが可能となる。
【０００９】
第３発明は、第１発明又は第２発明のサンシェード装置であって、前記遮光本体部を前記支持部材に対して回転可能に取り付けるための回転機構を備え、前記回転機構は、前記遮光本体部に付設された回転子と、前記支持部材に付設されたベース部材とからなり、前記回転子と前記ベース部材との間には、弾性変形可能なロック部材と、前記ロック部材を係合するロック孔とが設けられ、前記ロック部材が前記ロック孔により係合された状態では、前記遮光本体部が回転停止状態とされる一方、前記ロック部材がその弾性変形に基づいて前記ロック孔から係脱された状態では、前記遮光本体部が回転可能状態とされることを特徴とする、サンシェード装置である。
【００１０】
第３発明によれば、遮光本体部の回転操作に対して、別個の操作部材を必要としないため、構造が簡素化され、操作性も向上することとなる。
【００１１】
第４発明は、第１発明ないし第３発明のいずれかのサンシェード装置であって、前記支持部材は、前記開口部の車両幅方向に延設され、前記ルーフパネルを補強する補強部材であることを特徴とする、サンシェード装置である。
【００１２】
第４発明によれば、遮光本体部を回転可能に取り付けるための支持部材を、開口部の補強部材として機能させることが可能となるため、ルーフの剛性を確保することが可能となる。
【００１３】
第５発明は、第１発明ないし第４発明のいずれかのサンシェード装置であって、前記遮光部材が可撓性の遮光シートからなり、前記遮光本体部は、前記遮光シートを巻き取ることのできる巻取装置を備えることを特徴とする、サンシェード装置である。
【００１４】
第５発明によれば、巻取式であるため遮光部材（遮光シート）の収容幅を小さくすることが可能となる。したがって、支持部材の前後方向幅の剛性を確保しさえすれば、支持部材を遮光部材の前後方向幅と同等にするなど極力小さくできるため、ルーフの開口面積を大きくとることができ、一層の解放感を与えることが可能となる。
【００１５】
第６発明は、第１発明ないし第５発明のいずれかのサンシェード装置であって、前記支持部材は、前記開口部において、前記車両の前後方向にスライド可能に取り付けられていることを特徴とする、サンシェード装置である。
【００１６】
第６発明によれば、車両前後方向の所定位置において遮光ないし採光が可能となり、車室内の快適性が向上する。
【００１７】
第７発明は、第６発明のサンシェード装置であって、前記スライド可能な支持部材を、前記開口部の所定位置で固定する位置固定手段を備えることを特徴とする、サンシェード装置である。
【００１８】
第７発明によれば、支持部材を所定位置に固定することができるため、車両の進行時等に当該支持部材が不必要にスライドしてしまうことを防止することが可能となる。
【００１９】
第８発明は、第１発明ないし第７発明のいずれかのサンシェード装置であって、前記支持部材を複数備えており、前記複数の支持部材のそれぞれに前記遮光本体部が取り付けられていることを特徴とする、サンシェード装置である。
【００２０】
第８発明によれば、複数の支持部材（補強部材）をそれぞれ独立に移動させることが可能で、サンシェード装置の使い勝手が向上する。例えば、車室内が３列シートで構成されている場合に、１列目シート及び３列目シートの上方を遮光シートによって覆うのと同時に、２列目シートの上方を遮光シートによって覆わない状態にしておく、といった自由な使い方が可能である。また、遮光本体部を回転させれば、１列目シートの左側席、２列目シートの右側席、３列目シートの左右側席を遮光する等、の使い方も可能となる。
【発明の効果】
【００２１】
本発明によれば、車室内に対する遮光ないし採光部分を自在に変更可能であって、使い勝手の良いサンシェード装置を提供することが可能となる。
【発明を実施するための最良の形態】
【００２２】
＜第１実施形態＞
以下、本発明の第１実施形態について図面を参照しながら詳細に説明する。
図１は、第１実施形態に係るサンシェード装置２００を備えた車体上部構造（車両の一部）３００の斜視図である。図２は、図１に示すサンシェード装置２００のＡ−Ａ線断面図である。図３は、図１に示すサンシェード装置２００のＢ−Ｂ線断面図である。図４は、図１に示すサンシェード装置２００の分解斜視図である。以下では、図１の左上側を車両前方側とし、図１の右下側を車両後方側として説明する。また、図３の左側を車両前方側とし、図３の右側を車両後方側として説明する。
【００２３】
図１〜図３に示すように、車両のルーフパネル６０には開口部５０が設けられており、この開口部５０の内側にガラス５２がはめ込まれている。これにより、車室天井部から日光を取り入れたり、車室内から上空の景色を眺めたりすることのできるサンルーフが構成されている。本実施形態に係るサンシェード装置２００は、このようなサンルーフを構成する開口部５０が形成されたルーフパネル６０の遮光ないし採光を選択的に実現するものである。
【００２４】
サンシェード装置２００は、開口部５０の車両幅方向（車両左右方向）に延設されたフレーム状の補強部材（支持部材）１６を備えている。補強部材１６は、金属製の板が複数回折り曲げられて形成された部材であり（図４参照）、当該補強部材１６により開口部５０を備えたルーフパネル６０が車両幅方向（車両左右方向）に補強されている。なお、図４に示すように、この補強部材１６の左右の両端部には、合成樹脂製のキャップ２８が取り付けられている。また、補強部材１６は、開口部５０に対してスライド可能に取り付けられ、具体的には、開口部５０の側部に形成されたガイドレール６６ａ，６６ｂに沿ってスライドする。スライド機構については後述する。
【００２５】
また、サンシェード装置２００を構成する補強部材１６には、遮光本体部１０が具備されている。遮光本体部１０は、サンルーフの開口部５０の下側を覆うための遮光シート１２と、この遮光シート１２を巻き取ることのできる巻取装置１４とを備えている。本実施形態では、巻取装置１４が、車両の前後方向に移動可能な補強部材１６の下面側に取り付けられており、これにより、補強部材１６のスライドに伴って巻取装置１４は車両の前後方向に移動させることが可能となっている。
【００２６】
遮光シート１２は、可撓性を有するシート状の部材で構成されている。このシート状の部材としては、例えば、合成樹脂材料からなるシート材（例えばポリ塩化ビニルシートやポリプロピレンシート）、メッシュシート、織布、不織布等を用いることができる。
【００２７】
巻取装置１４は、第１及び第２の巻取ロール２２ａ、２２ｂを備えている。また、巻取装置１４は補強部材１６に対して回転可能に取り付けられており（図１９参照）、図１の状態、つまり巻取ロール２２ａ，２２ｂが前後方向に展開可能な状態では、車両前方側に配置された第１の巻取ロール２２ａは、遮光シート１２を車両前方側に引き出すことが可能に構成されている。また、車両後方側に配置された第２の巻取ロール２２ｂは、遮光シート１２を車両後方側に引き出すことが可能に構成されている。
【００２８】
一方、図１９において下方向を車両前方側として見た状態、つまり巻取ロール２２ａ，２２ｂが左右方向に展開可能な状態では、車両右方側に配置された第１の巻取ロール２２ａは、遮光シート１２を車両右方側に引き出すことが可能に構成されている。また、車両左方側に配置された第２の巻取ロール２２ｂは、遮光シート１２を車両左方側に引き出すことが可能に構成されている。このように、遮光シート１２の展開方向が開口部５０の開口平面内で変更自在となるように、巻取装置１４は補強部材１６に対して取り付けられているのである。
【００２９】
これら第１及び第２の巻取ロール２２ａ、２２ｂは、合成樹脂製のハウジング２６の内部に格納されている。また、第１及び第２の巻取ロール２２ａ、２２ｂの端部には、当該第１及び第２の巻取ロール２２ａ、２２ｂを回転させることで遮光シート１２を自動的に巻き取るための巻取バネ２４がそれぞれ装着されている。第１及び第２の巻取ロール２２ａ、２２ｂの端部に巻取バネ２４を装着するためには、例えば特開昭６１−１５５０２０号公報に開示されているような公知の巻取装置と同様の構造を用いることができる。
【００３０】
また、図１、図３に示すように、遮光シート１２の引き出し側の端部には、合成樹脂製のフック１８が設けられている。車両のルーフパネル６０の下面側には、このフック１８を係合させることのできるブラケット２０或いは、後述する回転機構４０により回転された際に係合させることができるブラケット２１が取り付けられている。フック１８をブラケット２０或いはブラケット２１に係合させることによって、遮光シート１２を巻取装置１４から引き出した状態で保持することができる。一方、フック１８をブラケット２０或いはブラケット２１から取り外すことによって、遮光シート１２を巻取装置１４によって自動的に巻き取らせることができる。
【００３１】
ところで、図２、図３に示すように、車両のルーフパネル６０の下面側にはルーフライニング６１が装着されている。このルーフライニング６１には、フック１８をブラケット２０或いはブラケット２１に係合させるときに当該フック１８を貫通させることのできる貫通孔６３、６９が設けられている。
【００３２】
また、図２、図３に示すように、車両のルーフパネル６０の下面部には、断面略コの字型の補強パネル６２が設けられている。この補強パネル６２の下面部には、断面略Ｌ字型の鋼製部材からなる取付部材６４が接合されている。この取付部材６４によって、補強部材１６を車両の前後方向にガイドするための２本のガイドレール６６ａ、６６ｂが取り付けられている。
【００３３】
さらに、補強部材１６のスライド方向に沿って補強ブラケット８０が延設されている。補強ブラケット８０は、補強部材１６の両端を車両ルーフサイドメンバ８１に支持させるための機能を備え、つまり補強部材１６の両端にガイドレール６６ａ，６６ｂ、取付部材６４を介して接合され、補強パネル６２からルーフサイドメンバ８１へ跨って接合するように取り付けられている。
【００３４】
図１〜図３に示すように、２本のガイドレール６６ａ、６６ｂは、その長手方向が車両の前後方向にほぼ平行となるように配置された断面略コの字型の鋼製部材でそれぞれ構成されている。２本のガイドレール６６ａ、６６ｂの下面部には、車両の前後方向に沿ってほぼ等間隔に複数のロック孔６８が設けられている。２本のガイドレール６６ａ、６６ｂ、及び、これらを車幅方向に連結する２本の連結フレーム７０ａ、７０ｂによって、サンルーフの開口部５０とほぼ同じ大きさを有する矩形状の枠体７１が構成されている。
【００３５】
図１〜図３に示すように、補強部材１６の左右の両端部は、２本のガイドレール６６ａ、６６ｂの内側にそれぞれ嵌め込まれている。これにより、補強部材１６は、サンルーフの開口部５０を車幅方向に架橋するようにしてほぼ水平に支持されるとともに、２本のガイドレール６６ａ、６６ｂの内側に沿って車両の前後方向に移動可能な状態で支持されている。なお、補強部材１６の両端部に取り付けられた合成樹脂製のキャップ２８は、補強部材１６の両端部と２本のガイドレール６６ａ、６６ｂの内側との摩擦を低減させるために、その表面が平滑でかつガイドレール６６ａ、６６ｂの内側に対する接触部位がゆるやかな弧をなすように形成されている（図３参照）。
【００３６】
図２〜図４に示すように、補強部材１６の下面側には、巻取装置１４が取り付けられている。
補強部材１６と巻取装置１４との間には、補強部材１６の車両の前後方向への移動をロックする（規制する）ロック機構（位置固定手段）３０が設けられている。
また、補強部材１６と巻取装置１４との間には、遮光本体部１０の巻取装置１４を車室内の天井面において回転させるための回転機構４０が設けられている。
【００３７】
図５は、ロック機構３０の構成を示す断面図であり、ロック機構３０によって補強部材１６がロックされている状態（ロック状態）を示している。図６は、ロック機構３０の構成を示す断面図であり、ロック機構３０によって補強部材１６がロックされていない状態（ロック解除状態）を示している。
【００３８】
図５、図６に示すように、ロック機構３０は、棒状部材からなる２本のロックバー３１ａ、３１ｂを備えている。この２本のロックバー３１ａ、３１ｂは、補強部材１６に対して水平方向に固定されたピン３９によって上下方向に回転可能な状態で軸支されている。
ピン３９の軸周りには第１のスプリング３４が設けられている。この第１のスプリング３４の両端部３４ａ、３４ｂは、２本のロックバー３１ａ、３１ｂにそれぞれ設けられた突設ピン３６ａ、３６ｂに掛けられている。これにより、２本のロックバー３１ａ、３１ｂは、第１のスプリング３４のバネ力によって、ピン３９を中心として下方側に回動する方向に付勢された状態となっている。
【００３９】
図５、図６に示すように、ハウジング２６の底面には凹部２６ａが形成されており、この凹部２６ａ内にロック解除ボタン３５及び第２のスプリング３７が下方側から挿入されている。ロック解除ボタン３５及び第２のスプリング３７は、さらに下方側から装着されたロックパネル３８によって凹部２６ａ内から脱落しないように押さえつけられている。また、ロック解除ボタン３５は、第２のスプリング３７によって下方側に向けて付勢された状態となっている。そして、ロック解除ボタン３５の先端部と、ロックバー３１ａ、３１ｂ間に略Ｔ字型のロックアーム３３が設けられており、ロックアーム３３の左右両端部３３ａ，３３ｂが接続されている。
【００４０】
上述のように構成されたロック機構３０において、ロック解除ボタン３５が上方に向けて押圧されると、ロックアーム３３が上方に押し上げられる。そして、このロックアーム３３の左右の両端部３３ａ、３３ｂが力点となって、２本のロックバー３１ａ、３１ｂの先端部３２ａ、３２ｂが上方に向けて押し上げられるようになっている（図６参照）。
【００４１】
図７は、ロックバー３１ｂの先端部３２ｂの拡大斜視図であり、補強部材１６の前後方向への移動がロックされている状態（ロック状態）を示している。図８は、ロックバー３１ｂの先端部３２ｂの拡大斜視図であり、補強部材１６の前後方向への移動がロックされていない状態（ロック解除状態）を示している。
【００４２】
図７、図８に示すように、ロックバー３１ｂの先端部３２ｂは、下方に向けて略直角に折れ曲がっている。
ロック解除ボタン３５が下方から押圧されていないときには、ロックバー３１ｂの先端部３２ｂはガイドレール６６ｂの下面部に設けられたロック孔６８に挿入された状態となる（図５、図７参照）。これにより、補強部材１６の前後方向への移動がロックされる（ロック状態）。
ロック解除ボタン３５が下方から押圧されているときには、ロックバー３１ｂの先端部３２ｂはガイドレール６６ｂの下面部に設けられたロック孔６８から抜け出た状態となる（図６、図８参照）。これにより、補強部材１６の前後方向への移動が自由となる（ロック解除状態）。
なお、右側のロックバー３１ｂを例にとってロック機構３０によるロック動作について説明したが、左側のロックバー３１ａについてもこれと同様である。
【００４３】
図２〜図４、および図１５〜図１８に示すように、回転機構４０は、合成樹脂により形成された上下２つの回転プレート４１ａ、４１ｂにより構成されている。上側の回転プレート４１ａはベース部材であって、補強部材１６の下面部に対してビス止めにより取り付けられている。下側の回転プレート４１ｂは回転子であって、巻取装置１４の上面部（ハウジング２６の上面部）に対してビス止めにより取り付けられている。この回転機構４０によって、補強部材１６の下面側に巻取装置１４が回転可能な状態で取り付けられている。
【００４４】
具体的には、下側の回転プレート４１ｂは、図１５に示すように、ベース部材である上側の回転プレート４１ａと対向する面（上面）９２に、それぞれ１８０°異なる位置に形成された２つの爪部（係止部）９０，９０と、それぞれ９０°異なる位置に形成された４つの板バネ（弾性突起片若しくはロック部材）９１とを有している。また、上側の回転プレート４１ａは、図１６に示すように、回転子である下側の回転プレート４１ｂと対向する面（下面）９９に、下側の回転プレート４１ｂの爪部９０を嵌入可能な構成であって、回転方向に沿ってレール状に形成された２つの回転誘導溝部９６と、下側の回転プレート４１ｂの板バネ９１を嵌入可能な構成であって、それぞれ９０°異なる位置に形成された回転規制溝部（ロック孔）９７とを有している。
【００４５】
なお、上側の回転プレート４１ａは円筒状に構成され、下面９９の内側に空洞が形成された構成となっている。また、回転誘導溝部９６の端部には爪部９０を空洞内に嵌め込むための嵌込開口部９５が形成されており、当該嵌込開口部９５から嵌入した爪部９０は空洞内に入り込むとともに、回転誘導溝９６に沿って回転方向に移動可能な構成となっている。
【００４６】
そして、図１７に示すように、上側の回転プレート４１ａの回転規制溝部９７に板バネ９１が嵌入した状態では、回転機構４０がロックされ、補強部材１６に対する巻取装置１４の回転が規制される。
一方、図１７の状態から回転力が掛かり（回転方向に力が掛かり）、図１８に示すように、上側の回転プレート４１ａの回転規制溝部９７から板バネ９１が解放された状態では、回転機構４０のロックが解除され、補強部材１６に対して巻取装置１４を回転することが可能となる。なお、この状態（回転可能状態）では、板バネ９１は弾性変形により縮んだ状態で、上側の回転プレート４１ａの下面９９上（図１６参照）を摺動することとなる。
【００４７】
次に、上述のように構成されたサンシェード装置２００の作用・効果について説明する。
本実施形態に係るサンシェード装置２００は、遮光本体部１０の巻取装置１４が補強部材１６に対して回転可能に取り付けられている。したがって、車両の左右座席の双方を遮光ないし採光する設定のみならず、左側座席のみ又は右側座席のみを遮光ないし採光する設定が容易に可能となり、使い勝手が向上する。つまり、図９及び図１０に示すように前後方向に遮光シート１２を展開して使用する態様のほか（図９はシート展開前、図１０はシート展開後）、図１９及び図２０に示すように巻取装置１４を９０°回転させ、左右方向に遮光シート１２を展開して使用する態様（図１９はシート展開前、図２０はシート展開後）をとることが可能とされている。
【００４８】
また、遮光本体部１０の巻取装置１４を補強部材１６に対して回転可能に取り付けるための回転機構４０が、遮光本体部１０の巻取装置１４に付設された回転プレート（回転子）４１ｂと、補強部材１６に付設された回転プレート（ベース部材）４１ａとからなり、各回転プレート４１ｂ，４１ａの間に設けた板バネ（ロック部材）９１及び回転規制溝部（ロック孔）９７により回転機構４０が実現されている。したがって、遮光本体部１０（巻取装置１４）の回転操作に対して、別個の操作部材を必要としないため、構造が簡素化され、操作性も向上することとなる。
【００４９】
また、補強部材１６が前後方向にスライド自在に構成されているため、開口部５０における補強部材１６の前後方向位置を適宜選択できるようになり、ルーフパネル６０の剛性を確保しつつ、車室内の乗員に対して解放感を与えることが可能とされている。
【００５０】
また、補強部材１６は、ロック機構３０によって開口部５０の所定位置で固定することができるため、車両の進行時等に当該補強部材１６が不必要にスライドしてしまうことを防止することが可能とされている。
【００５１】
また、図１４に示すように、補強部材１６の両端には補強ブラケット８０が付設されているため、補強部材１６が車両ルーフサイドメンバ８１側に突き抜ける等の不具合発生を防止することが可能とされている。つまり、補強部材１６は開口部５０の車両幅方向に延設されてなるものの、例えば車両右方向からの衝撃（図示矢印方向への衝撃）が加わると、左側の車両ルーフサイドにおいて補強部材１６からの衝撃を分散・吸収する必要がある。そこで、本実施形態のように補強ブラケット８０を補強部材１６のスライド方向に沿って延設させることで、当該衝撃を吸収させることができ、ひいては車両ルーフ６０の剛性を高めることが可能となる。
【００５２】
さらに、補強部材１６に取り付けられた遮光本体部１０は、図９に示すように、遮光部材が可撓性のある遮光シート１２で構成されており、巻取装置１４によって遮光シート１２を巻き取ることが可能である。したがって、遮光部材を格納するためのスペースが巻取装置の装着位置のみいわゆる補強部材の範囲内に収まり、必要最低限とすることができ、遮光部材を格納するためのスペースによってサンルーフの開口部５０の大きさが制約されることがなくなる。この結果、サンルーフの開口部５０をさらに大型化することが可能である。
【００５３】
また、図９及び図１９に示すように、本実施形態に係るサンシェード装置２００は、遮光本体部１０の巻取装置１４を車両前後方向に自由に移動させることが可能である。したがって、サンルーフの開口部５０からの視界が巻取装置１４によって常に遮られることがなくなる。
【００５４】
また、図１０に示すように、遮光本体部１０は、第１の巻取ロール２２ａから遮光シート１２を車両前方側へ引き出すことが可能であるとともに、第２の巻取ロール２２ｂから遮光シート１２を車両後方側へ引き出すことが可能である。したがって、巻取装置１４を車両の前後方向のどの位置に移動させた場合であっても、サンルーフの開口部５０の全体を遮光シート１２によって覆うことが可能である。
【００５５】
一方、図２０に示すように、遮光本体部１０は、第１の巻取ロール２２ａから遮光シート１２を車両左側へ引き出すことが可能であるとともに、第２の巻取ロール２２ｂから遮光シート１２を車両右側へ引き出すことが可能である。したがって、巻取装置１４を補強部材１６に対して回転させた後、サンルーフの開口部５０の左右のいずれか若しくは双方を選択的に遮光シート１２によって覆うことが可能である。
このように、本実施形態に係るサンシェード装置２００を構成する補強部材１６に取り付けられた遮光本体部１０による遮光態様は、多様なバリエーションを含んでなるものである。
【００５６】
＜第２実施形態＞
以下、本発明の第２実施形態に係るサンシェード装置２０１について説明する。なお、第１実施形態と同様の部分については説明を省略する。
図１１、図１２は、第２実施形態に係るサンシェード装置２０１を車室内から見た図であり、図１１は、遮光シート１０４を引き出す前の状態を示しており、図１２は、遮光シート１０４を引き出した後の状態を示している。また、図１３は、サンシェード装置２０１が備える遮光本体部１００の縦断面図である。さらに、図２１は、遮光本体部１００の異なる遮光態様を示す説明図である。
【００５７】
なお、本実施形態では、サンシェード装置２０１が複数（ここでは２つ）の遮光本体部１００，１００を備え、各遮光本体部１００，１００は、それぞれ遮光シート１０４と巻取装置１０６ａ，１０６ｂを備えている。
【００５８】
図１１〜図１３に示すように、サンシェード装置２０１は、２つの補強部材（支持部材）１０２ａ，１０２ｂを備え、各補強部材１０２ａ，１０２ｂが車両の前後方向にスライド可能に構成されている。この２つの補強部材１０２ａ、１０２ｂの下面側には、遮光シート１０４を巻き取ることのできる巻取装置１０６ａ、１０６ｂが、それぞれ補強部材１０２ａ，１０２ｂに対して回転可能に取り付けられている（図１２、図２１参照）。
【００５９】
巻取装置１０６ａ、１０６ｂは、第１及び第２の巻取ロール１０８ａ、１０８ｂをそれぞれ備えている。図１１の状態で、車両前方側に配置された第１の巻取ロール１０８ａは、遮光シート１０４を車両前方側に引き出すことが可能に構成されている。一方、車両後方側に配置された第２の巻取ロール１０８ｂは、遮光シート１０４を車両後方側に引き出すことが可能に構成されている。これら第１及び第２の巻取ロール１０８ａ、１０８ｂは、合成樹脂製のハウジング１１０の内部に格納されている。
【００６０】
車両前方側の巻取装置１０６ａから車両前方側に引き出される遮光シート１０４の端部には、合成樹脂製のフック１１２ａが設けられている。また、車両後方側の巻取装置１０６ｂから車両後方側に引き出される遮光シート１０４の端部には、合成樹脂製のフック１１２ｂが設けられている。そして、図１１、図１２に示すように、車両のルーフパネル１２０の下面側には、フック１１２ａ、１１２ｂを係合させることのできるブラケット１１４ａ、１１４ｂが取り付けられている。
【００６１】
車両前方側の巻取装置１０６ａから車両後方側に引き出される遮光シート１０４の端部には、合成樹脂製のフック１１２ｃが設けられている。また、車両後方側の巻取装置１０６ｂから車両前方側に引き出される遮光シート１０４の端部には、合成樹脂製のフック１１２ｄが設けられている。そして、図１３に示すように、車両前方側の巻取装置１０６ａには、フック１１２ｄを係合させることのできるブラケット１１４ｃが取り付けられている。車両後方側の巻取装置１０６ｂには、フック１１２ｃを係合させることのできるブラケット１１４ｄが取り付けられている。
【００６２】
フック１１２ａ〜１１２ｄをそれぞれに対応するブラケット１１４ａ〜１１４ｄに係合させることによって、遮光シート１０４を巻取装置１０６ａ、１０６ｂから引き出した状態で保持することができる。一方、フック１１２ａ〜１１２ｄをそれぞれに対応するブラケット１１４ａ〜１１４ｄから取り外すことによって、遮光シート１０４を巻取装置１０６ａ、１０６ｂによって自動的に巻き取らせることができる。
【００６３】
一方、巻取装置１０６ａ，１０６ｂを補強部材１０２ａ，１０２ｂに対して回転させた状態（つまり図２１の状態）では、各巻取装置１０６ａ，１０６ｂから遮光シート１０４を車両の左右方向に展開させることが可能である。そして、図２１に示すように車両の左右ルーフパネル１２０の下面側には、フック１１２ａ〜１１２ｄを係合させることのできるブラケット２１０がそれぞれ取り付けられている。
【００６４】
第２実施形態に係るサンシェード装置２０１によれば、２つの巻取装置１０６ａ、１０６ｂ（遮光本体部１００）をそれぞれ独立に車両の前後方向に移動させることが可能である。また、２つの巻取装置１０６ａ、１０６ｂのそれぞれから、遮光シート１０４を車両の前後方向若しくは左右方向に引き出すことが可能である。したがって、サンシェード装置２０１の自由な使い方が可能になる。
【００６５】
例えば、車室内が３列シートで構成されている場合に、１列目シート及び３列目シートの上方を遮光シート１０４によって覆うのと同時に、２列目シートの上方を遮光シート１０４によって覆わない状態にしておく、といった自由な使い方が可能である（つまり、２つの巻取装置１０６ａ、１０６ｂの間の領域を、遮光シート１０４によって覆わないで開放しておくことが可能である）。これにより、１列目シート、２列目シート、及び３列目シートの上方に、それぞれ専用のサンシェード装置を設置したのと同様の効果を得ることができる。
【００６６】
さらに図２１に示すように、補強部材１０２ａ，１０２ｂに対して巻取装置１０６ａ，１０６ｂを回転させて、遮光シート１０４を車両の左右方向に展開できる構成とすることもできる。この場合、シートの前後左右にそれぞれ専用のサンシェード装置を設置したのと同様の効果を得ることができ、各遮光シート１０４により、車室内を４分割した構成で、該分割された車室内を別個に遮光することが可能となる。
【００６７】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）上記実施形態では、サンシェード装置を構成する補強部材が１つあるいは２つである例を示したが、補強部材が３つ以上であってもよい。つまり、補強部材を３つ以上設けて、車室内を６分割以上とした構成で、該分割された車室内を別個に遮光することも可能である。
（２）上記実施形態では、サンシェード装置に取り付けられた巻取装置が１つあるいは２つである例を示したが、巻取装置が３つ以上であってもよい。
（３）上記実施形態では、１つの巻取装置に対して巻取ロールが２つ設けられている例を示したが、１つの巻取装置に対して巻取ロールが１つあるいは巻取装置の車幅方向中央を基準として左右に分割するなどして３つ以上設けられてもよい。
【図面の簡単な説明】
【００６８】
【図１】第１実施形態に係るサンシェード装置の斜視図である。
【図２】図１に示すサンシェード装置のＡ−Ａ線断面図である。
【図３】図１に示すサンシェード装置のＢ−Ｂ線断面図である。
【図４】図１に示すサンシェード装置の分解斜視図である。
【図５】ロック機構の断面図であり、ロック機構によって補強部材がロックされている状態を示している。
【図６】ロック機構の断面図であり、ロック機構によって補強部材がロックされていない状態を示している。
【図７】ロックバーの先端部の拡大斜視図であり、補強部材の前後方向への移動がロックされている状態を示している。
【図８】ロックバーの先端部の拡大斜視図であり、補強部材の前後方向への移動がロックされていない状態を示している。
【図９】第１実施形態に係るサンシェード装置を車室内から見た図であり、遮光シートを引き出す前の状態を示している。
【図１０】第１実施形態に係るサンシェード装置を車室内から見た図であり、遮光シートを引き出した後の状態を示している。
【図１１】第２実施形態に係るサンシェード装置を車室内から見た図であり、遮光シートを引き出す前の状態を示している。
【図１２】第２実施形態に係るサンシェード装置を車室内から見た図であり、遮光シートを引き出した後の状態を示している。
【図１３】第２実施形態に係るサンシェード装置の縦断面図である。
【図１４】サンシェード装置の作用効果を示す説明図であり、サンシェード装置を車室内から見た図を示している。
【図１５】回転機構を構成する下側の回転プレートの構成を示す斜視図である。
【図１６】回転機構を構成する上側の回転プレートの構成を示す斜視図である。
【図１７】回転ロック状態の回転機構を示す断面図。
【図１８】回転ロック解除状態の回転機構を示す断面図。
【図１９】第１実施形態に係るサンシェード装置を車室内から見た図であり、巻取装置を補強部材に対して回転させた状態を示している。
【図２０】第１実施形態に係るサンシェード装置を車室内から見た図であり、巻取装置を補強部材に対して回転させた状態で且つ遮光シートを引き出した後の状態を示している。
【図２１】第２実施形態に係るサンシェード装置を車室内から見た図であり、巻取装置を補強部材に対して回転させた状態で且つ遮光シートを引き出した後の状態を示している。
【符号の説明】
【００６９】
２００…サンシェード装置
３００…車両
１０、１００…遮光本体部
１２、１０４…遮光シート（遮光部材）
１４、１０６ａ、１０６ｂ…巻取装置
１６、１０２ａ、１０２ｂ…補強部材（支持部材）
２２ａ、１０８ａ…第１の巻取ロール
２２ｂ、１０８ｂ…第２の巻取ロール
３０…ロック機構（位置固定手段）
４０…回転機構
４１ａ…ベース部材
４１ｂ…回転子
５０…開口部
６０…ルーフパネル
８０…補強ブラケット
８１…ルーフサイドメンバ
９１…ロック部材
９７…ロック孔
【図１】
2008279802.tif 000003
【図２】
2008279802.tif 000004
【図３】
2008279802.tif 000005
【図４】
2008279802.tif 000006
【図５】
2008279802.tif 000007
【図６】
2008279802.tif 000008
【図７】
2008279802.tif 000009
【図８】
2008279802.tif 000010
【図９】
2008279802.tif 000011
【図１０】
2008279802.tif 000012
【図１１】
2008279802.tif 000013
【図１２】
2008279802.tif 000014
【図１３】
2008279802.tif 000015
【図１４】
2008279802.tif 000016
【図１５】
2008279802.tif 000017
【図１６】
2008279802.tif 000018
【図１７】
2008279802.tif 000019
【図１８】
2008279802.tif 000020
【図１９】
2008279802.tif 000021
【図２０】
2008279802.tif 000022
【図２１】
2008279802.tif 000023